(57)【要約】【課題】ＯＦＤＭ方式により通信を行う基地局装置および端末装置であって、セクタ間の干渉を低減しスループットを向上する基地局装置および端末装置を提供すること。【解決手段】基地局装置１００に、それぞれが自装置の各セクタと対応し、送信データを重畳するために互いに異なるサブキャリアを用いて送信ＯＦＤＭ信号を形成する複数のＯＦＤＭ変調部１６０と、前記送信データの宛先である移動端末が存在するセクタに応じて、前記送信データを複数のＯＦＤＭ変調部１６０に割り振る分配手段としての信号振り分け部１５０と、を設けた。こうすることにより、各セクタに対応するＯＦＤＭ変調部１６０の送信データの送信に利用するサブキャリアが互いに異なっているので、セクタ間の干渉を防止することができる結果、スループットを向上することができる。【選択図】図１
2008067320.tif 000002
【特許請求の範囲】
【請求項１】
それぞれが自装置の各セクタと対応し、送信データを重畳するために互いに異なるサブキャリアを用いて送信ＯＦＤＭ信号を形成する複数のＯＦＤＭ変調手段と、
前記送信データの宛先が存在するセクタに応じて、前記送信データを前記複数のＯＦＤＭ変調手段に割り振る分配手段と、
を具備する基地局装置。
【請求項２】
前記宛先からのフィードバック信号に基づいて、前記分配手段による前記送信データの前記複数のＯＦＤＭ変調手段への割り振りを制御するスケジューラをさらに具備する請求項１記載の基地局装置。
【請求項３】
前記フィードバック信号は、少なくとも各ＯＦＤＭ変調手段にて形成された送信ＯＦＤＭ信号ごとの受信レベル情報を含む請求項２記載の基地局装置。
【請求項４】
それぞれが自装置の各セクタと対応し、互いに異なるサブキャリアを用いて送信ＯＦＤＭ信号を形成する複数のＯＦＤＭ変調手段と、送信データの宛先が存在するセクタに応じて、前記送信データを前記複数のＯＦＤＭ変調手段に割り振る分配手段と、を具備する基地局装置と通信する端末装置であって、
前記互いに異なるサブキャリアを用いて形成された送信ＯＦＤＭ信号ごとの受信レベルを前記基地局装置に報知する端末装置。
【請求項５】
それぞれが自装置の各セクタと対応し、互いに異なるサブキャリアを用いて送信ＯＦＤＭ信号を形成する複数のＯＦＤＭ変調手段と、送信データの宛先が存在するセクタに応じて、前記送信データを前記複数のＯＦＤＭ変調手段に割り振る分配手段と、を具備する基地局装置と通信する端末装置であって、
前記送信ＯＦＤＭ信号ごとの受信レベルに応じて、前記基地局装置への送信に利用するサブキャリアを切り替える端末装置。
【発明の詳細な説明】
【技術分野】
【０００１】
本発明は、特にＯＦＤＭ（Orthogonal Frequency Division Multiplexing）方式により通信を行う基地局装置および端末装置に関する。
【背景技術】
【０００２】
近年、無線通信、特に移動体通信では、音声以外に画像やデータなどの様々な情報が伝送の対象になっており、高速な伝送に対する必要性が高まっている。高速伝送を行うために、限られた周波数資源をより効率よく利用して、高いスループットを実現する無線伝送技術が求められている。
【０００３】
このような無線伝送技術の１つにＯＦＤＭがある（例えば、非特許文献１参照）。ＯＦＤＭは、高い周波数利用効率、マルチパス環境下のシンボル間干渉低減などの特徴を持ち、スループットの向上に有効であることが知られている。
【０００４】
また、他の無線伝送技術として、セルを複数の領域（セクタ）に分割し、すなわちセクタ化を行うことにより、高容量化、高スループット化することが検討されている。
【０００５】
これらの無線伝送技術はいずれも高スループット化を実現する方法として期待されるものであり、組み合わせることでさらなる高スループット化が期待される。
【０００６】
一方、同じ周波数資源を使用する複数の領域が隣接又は重なる場合には、領域間で干渉が発生してしまうため、何らかの方法で領域間干渉を防止する必要があるが、その方法の１つとして特許文献１に開示されたものがある。  
【特許文献１】特表２００５−５１３９７２号公報
【非特許文献１】ＷＳ  No.197，「〜ディジタル放送／移動通信のための〜ＯＦＤＭ変調技術」，株式会社トリケップス，２０００年３月７日
【発明の開示】
【発明が解決しようとする課題】
【０００７】
上述のとおりセクタ化は高容量化、高スループット化するものとして検討されているものの、指向性通信などを導入することによりセクタ化を行って干渉の発生を防止しようとしても、実際にはセクタ間の干渉が発生しスループットを大きく向上させるものとはなっていない。
【０００８】
そのため、ＯＦＤＭ伝送とセクタ化とをただ単に組み合わせたところで、期待するようにスループットを向上させることができない。
【０００９】
本発明は、かかる点に鑑みてなされたものであり、ＯＦＤＭ方式により通信を行う基地局装置および端末装置であって、セクタ間の干渉を低減しスループットを向上する基地局装置および端末装置を提供することを目的とする。
【課題を解決するための手段】
【００１０】
本発明の基地局装置は、それぞれが自装置の各セクタと対応し、送信データを重畳するために互いに異なるサブキャリアを用いて送信ＯＦＤＭ信号を形成する複数のＯＦＤＭ変調手段と、前記送信データの宛先が存在するセクタに応じて、前記送信データを前記複数のＯＦＤＭ変調手段に割り振る分配手段と、を具備する構成を採る。
【００１１】
本発明の端末装置は、それぞれが自装置の各セクタと対応し、互いに異なるサブキャリアを用いて送信ＯＦＤＭ信号を形成する複数のＯＦＤＭ変調手段と、送信データの宛先が存在するセクタに応じて、前記送信データを前記複数のＯＦＤＭ変調手段に割り振る分配手段と、を具備する基地局装置と通信する端末装置であって、前記互いに異なるサブキャリアを用いて形成された送信ＯＦＤＭ信号ごとの受信レベルを前記基地局装置に報知する構成を採る。
【発明の効果】
【００１２】
本発明によれば、ＯＦＤＭ方式により通信を行う基地局装置および端末装置であって、セクタ間の干渉を低減しスループットを向上する基地局装置および端末装置を提供することができる。
【発明を実施するための最良の形態】
【００１３】
以下、本発明の一実施の形態について図面を参照して詳細に説明する。
【００１４】
（一実施の形態に係る基地局装置の構成）
図１に示すように基地局装置１００は、分離部１１０と、バッファ１２０と、スケジューラ１３０と、符号化変調部１４０と、信号振り分け部１５０と、自装置の各セクタに対応するＯＦＤＭ変調部１６０−１〜３と、自装置の各セクタに対応する無線送信部１７０−１〜３とを有する。なお、ここでは、基地局装置１００のセルが３つのセクタに分割されるものとして説明を行うが、分割されるセクタ数はこれに限定されるものではない。
【００１５】
分離部１１０は、上位装置からの信号を移動端末(ユーザ)毎のユーザ信号や共通の制御信号に振り分ける。
【００１６】
バッファ１２０は、分離部１１０からのユーザ信号をユーザごとに一時的に蓄積する。同図においては、バッファ１２０は、それぞれがユーザごとのユーザ信号を一時的に蓄積するバッファ１２２−１〜９を有している。
【００１７】
スケジューラ１３０は、送信信号の受信側である移動端末からフィードバックされる制御信号に基づいて、バッファ１２０に蓄積されたユーザ信号の送信をスケジューリングする。また、スケジューラ１３０は、受信側である移動端末からの制御信号に基づいて、移動端末のハンドオーバ（ＨＯ）を制御する。ここで、移動端末からフィードバックされる制御信号には、少なくとも基地局装置１００に割り当てられている全てのサブキャリア（つまり、ＯＦＤＭ変調部１６０−１〜３のすべての利用サブキャリア）のそれぞれに重畳される既知信号（パイロット信号）の受信側における受信レベル情報（例えば、受信電力情報）が含まれる。
【００１８】
符号化変調部１４０は、周波数毎にスケジューリングされた信号を符号化・変調を行う。符号化変調部１４０は、それぞれが異なる符号化方式、変調方式に対応する符号化変調部１４２を有している。同図においては、符号化変調部１４０は、４つの符号化変調部１４２−１〜４を有している。
【００１９】
信号振り分け部１５０は、スケジューラ１３０のスケジューリングに従って、バッファ１２０に蓄積されたユーザ信号をＯＦＤＭ変調部１６０−１〜３のいずれかに振り分ける。すなわち、信号振り分け部１５０は、スケジューラ１３０の制御により、バッファ１２０に蓄積されたユーザ信号をＯＦＤＭ変調部１６０−１〜３のいずれかに分配する振り分け処理を実行する。
【００２０】
具体的には、信号振り分け部１５０は、多重化部１５２と、直並列変換部１５４とを有する。
【００２１】
多重化部１５２は、符号化変調部１４０にて符号化および変調された信号を多重化してシリアル信号を形成する。
【００２２】
直並列変換部１５４は、多重化部１５２にて形成されたシリアル信号を直並列変換することにより周波数軸上に配置（マッピング）する。
【００２３】
ＯＦＤＭ変調部１６０−１〜３は、信号振り分け部１５０からの信号をＯＦＤＭ変調し、ＯＦＤＭ変調後の信号（ＯＦＤＭ信号）を対応する無線送信部１７０に出力する。ＯＦＤＭ変調部１６０−１〜３は、互いに同一の帯域を利用可能に構成されているが、信号振り分け部１５０からの信号を重畳することで当該信号を送信するために利用するサブキャリア（以下、「利用サブキャリア」と呼ぶことがある）が互いにそれぞれ異なっている。つまり、ＯＦＤＭ変調部１６０−１〜３のそれぞれは、スケジューラ１３０の制御に従って信号振り分け部１５０にて振り分けられた信号を、それぞれの利用サブキャリアに重畳してＯＦＤＭ信号を形成し、このＯＦＤＭ信号を対応する無線送信部１７０を介して送信する。このＯＦＤＭ信号を受信する受信側は、自装置が位置する基地局装置１００のセルに応じたサブキャリアのみを信号処理することにより、自装置宛の信号を取得することが可能となる。
【００２４】
具体的には、ＯＦＤＭ変調部１６０−１〜３のそれぞれは、ＩＦＦＴ（逆フーリエ変換）部１６２と、並直列変換部１６４とを有する。
【００２５】
ＩＦＦＴ（逆フーリエ変換）部１６２は、セクタ毎に配備される周波数軸上に配置された信号を逆フーリエ変換する。すなわち、ＩＦＦＴ部１６２は、入力が制限されており、つまり、利用サブキャリアに対応する入力のみから信号振り分け部１５０からの信号を入力し、入力信号に対し逆フーリエ変換を施して並直列変換部１６４に出力する。
【００２６】
並直列変換部１６４は、逆フーリエ変換された信号を並直列変換することにより時系列信号に変換する。
【００２７】
無線送信部１７０−１〜３は、それぞれ対応するＯＦＤＭ変調部１６０から出力されたＯＦＤＭ信号をアップコンバートし、アンテナ（図示せず）を介して移動端末に送信する。
【００２８】
（基地局装置の動作）
上記構成を有する基地局装置１００の動作について説明する。
【００２９】
上位装置（図示せず）から移動端末へ伝送される信号が分離部１１０に入力され、分離部１１０では、入力信号が移動端末(ユーザ)毎のユーザ信号に分離される。分離された信号は、移動端末(ユーザ)毎にバッファ１２０に蓄積される。
【００３０】
スケジューラ１３０は、移動端末から上り回線（図示せず）を介して送信された制御信号に基づいて、信号振り分け部１５０を制御することにより移動端末毎のユーザ信号をどのＯＦＤＭ変調部１６０に振り分けるかを決定する。また、スケジューラは、上記制御信号に基づいて、移動端末毎のユーザ信号をどの符号化変調部１４２に出力するかを決定する。そして、スケジューラ１３０は、送信しようとするユーザ信号をバッファ１２０から取り出し、このユーザ信号に対して決定された符号化方法、変調方式に対応する符号化変調部１４２に出力する。
【００３１】
スケジューラ１３０から出力されたユーザ信号は、符号化変調部１４０にて所定の符号化および変調が施され、信号振り分け部１５０に入力される。
【００３２】
信号振り分け部１５０では、多重化部１５２が複数の符号化変調部１４２から並列に入力されるユーザ信号を時間多重することによりシリアル信号に変換する。さらに、直並列変換部１５４では、直並列変換部１５４がシリアル信号を直並列変換することにより、そのシリアル信号に含まれるユーザ信号ごと（つまり、宛先である移動端末ごとのユーザ信号）に分離し、且つ、スケジューラにて決定された振り分け先のＯＦＤＭ変調部１６０に対して各ユーザ信号を出力する。すなわち、シリアル信号は直並列変換部１５４で周波数軸上のサブキャリアに割り当てられ、各並列信号は、割り当てられたサブキャリアと対応するセクタに対応するＯＦＤＭ変調部１６０へ分配される。なお、例えば、多重化部１５２では、後段の直並列変換部１５４にてユーザ信号の宛先の移動端末が存在すると推定されるセクタに対応するサブキャリアに各ユーザ信号が割り当てられるように、タイミングを計って多重化を行うことによりシリアル信号が形成される。
【００３３】
ＯＦＤＭ変調部１６０−１〜３では、逆フーリエ変換することにより、各々の「利用サブキャリア」にユーザ信号が重畳され、さらに並直列変換することにより、時系列信号であるＯＦＤＭ信号に変換される。このＯＦＤＭ信号は、無線送信部１７０にて無線周波数に変換され、さらに増幅されて、アンテナ（図示せず）を介して送信される。なお、無線送信部１７０は、図１に示すように局部発振部１７２と、乗算部１７４とを有している。
【００３４】
以上のように、スケジューラ１３０は、制御信号に基づいて各移動端末がどのセクタに存在するのか推定し、推定されるセクタに対応するＯＦＤＭ変調部１６０を介して各移動端末宛てにユーザ信号を送信する制御を行い、さらに適応変調方式が適用される場合などには、制御信号に基づいて符号化方法、変調方式を変更する制御を行っている。
【００３５】
ここで、各ＯＦＤＭ変調部１６０に対する利用サブキャリアの割り当て方法、すなわち、各セクタに対する利用サブキャリアの割り当て方法としては、種々の方法が考えられる。第１には、図２に示すように各セクタに対して、周波数方向に連続するサブキャリアブロックを割り当てることができる。第２に、図３に示すように各セクタに対して、周波数方向に離散的に存在するサブキャリアグループを割り当てることができる。上記第１の割り当て方法では、他セクタのキャリアと分離されているので、漏洩電力によるサブキャリア間の干渉を低減することが可能となる。上記第２の割り当て方法では、第１の割り当て方法と同様の効果の他に、周波数依存のフェージング（周波数選択性フェージング）に対する耐性が高くなり、周波数スケジューリングによる利得が得られる。
【００３６】
受信側の移動端末においては、ＯＦＤＭ変調部１６０ごとに互いに異なるサブキャリアを用いて形成された送信ＯＦＤＭ信号ごとの受信レベルを基地局装置１００に報知（フィードバック）する。また、その移動端末が上り回線で送信する際にも、基地局装置１００の送信ＯＦＤＭ信号ごとの受信レベルに応じて、基地局装置１００への送信に利用するサブキャリアを切り替える。
【００３７】
次に、特にハンドオーバ時の動作について図４および図５を参照して説明する。図４は、移動端末がセクタ１からセクタ２へ移動したときの様子を示す図である。図５は、セクタ１からセクタ２へのセクタ間ハンドオーバの一連の動きの説明に供する図である。
【００３８】
移動端末は、セクタ１〜３のそれぞれに割り当てられた帯域ごとの、換言すればセクタ１〜３のそれぞれの利用サブキャリアごとの伝搬環境（受信レベル）を測定する。このとき、セクタ１に移動端末があるときの受信レベルの測定結果は、セクタ１の受信レベル、すなわちセクタ２に割り当てられた利用サブキャリアに重畳されたパイロット信号の受信レベルが最も高くなる。当然に、セクタ２に移動端末があるときの測定結果は、セクタ２の受信レベルが最も高くなる。
【００３９】
図５に示すように移動端末は、セクタごとの受信レベル測定結果を制御信号に含めて上り回線を介して基地局装置１００に送信する。
【００４０】
基地局装置１００では、この制御信号に基づいてセクタ間ハンドオーバを行う。
【００４１】
具体的には、基地局装置１００では、スケジューラ１３０が移動端末からフィードバックされた制御信号に含まれる、セクタごとの受信レベル情報（例えば、受信電力情報）に基づいて、その移動端末にとって伝搬環境の最適なセクタを判断し、その伝搬環境の最適なセクタ（つまり、そのセクタに対応する利用サブキャリア）で、その移動端末に対してユーザ信号を送信する制御を行う。すなわち、スケジューラ１３０が、セクタ２に関する受信レベル情報が最も良いと判断する場合、例えば図４に示すように移動端末がセクタ１からセクタ２に移動した場合には、信号振り分け部１５０を制御することによりセクタ２に対応するＯＦＤＭ変調部１６０にユーザ信号が振り分けられるように制御する。このように移動端末がセクタ間ハンドオーバする場合でも、スケジューラ１３０は、その移動端末宛のユーザ信号の振り分け先であるＯＦＤＭ変調部１６０としていずれかを選択するだけで移動端末のハンドオーバが実行される。つまり、スケジューラ１３０は、いずれの周波数帯でユーザ信号を送信するか、言い換えるといずれの利用サブキャリアでユーザ信号を送信するかという周波数スケジューリングを行うだけで、移動端末のハンドオーバに対応することができる。
【００４２】
一方、受信側の移動端末では、すべてのサブキャリアを受信した上で、ハンドオーバ先のセクタに対応するサブキャリアに重畳された信号のみを抽出することにより、ハンドオーバ先のセクタで送信されてくる自装置宛のユーザ信号を取得することができる。すなわち、受信側の移動端末では、信号を抽出する対象のサブキャリアのみを変更することにより、セクタ間のハンドオーバに対応することができる。
【００４３】
このようにすることにより、上位装置からの制御なしでセクタ間ハンドオーバを実現できるので、制御遅延を小さくすることができる。また、同一のスケジューラでセクタ間ハンドオーバを制御するため、ハンドオーバ元のバッファに蓄積されたユーザ信号をハンドオーバ先のバッファに対して転送する必要もなく、制御が容易になる。
【００４４】
（対比技術）
ところで、従来、自セルが複数のセクタに分割され、基地局装置が、各セクタに対してユーザ信号をＯＦＤＭ通信方式を用いて送信する技術がある。そして、移動端末がセルを移動してハンドオーバ要求を行うと、基地局装置の上位装置の制御により、ハンドオーバが実行される。
【００４５】
このような基地局装置の構成としては、図６に示す構成が考えられる。すなわち、同図に示す基地局装置２００は、分離部２１０と、自装置の各セクタに対応する、バッファ２２０−１〜３と、スケジューラ２３０−１〜３と、符号化変調部２４０−１〜３と、直並列変換部２５０−１〜３と、ＯＦＤＭ変調部２６０−１〜３と、無線送信部２７０−１〜３とを有する。
【００４６】
分離部２１０は、上位装置からの信号を移動端末(ユーザ)毎のユーザ信号や共通の制御信号に振り分ける。また、分離部２１０は、バッファがセクタごとに設けられているので、上位装置からの指示により、各移動端末が位置するセクタに対応するバッファ２２０にユーザ信号を出力する。スケジューラ２３０−１〜３の各々は、セクタの各々と対応しており、対応するバッファ２２０に一時保持されているユーザ信号の送信スケジュールを行う。つまり、基地局装置２００では、セクタごとに独立したスケジューリングが行われる。
【００４７】
スケジューラ２３０でスケジューリングされて出力されるユーザ信号は、符号化変調部２４０にて所定の符号化方法、変調方式で符号化、変調が施され、直並列変換部２５０に出力される。
【００４８】
直並列変換部２５０は、入力信号を直並列変換し、並列信号をＯＦＤＭ変調部２６０に出力する。
【００４９】
ＯＦＤＭ変調部２６０では、直並列変換部２５０からの並列信号の各々を自装置に割り当てられたサブキャリアの各々に重畳し、時系列信号に変換することにより、ＯＦＤＭ信号を形成する。このＯＦＤＭ信号は、無線送信部２７０にて所定の処理が施されアンテナを介して送信される。ここで、ＯＦＤＭ変調部２６０−１〜３の各々は、自装置に割り当てられる帯域のサブキャリアのすべてを用いてＯＦＤＭ信号を形成する。
【００５０】
このような構成を採ることにより、基地局装置２００には次のような問題点がある。
【００５１】
第１の問題として、セクタ毎にすべての送信帯域（つまり、全てのサブキャリア）を使うため、セクタ間で干渉が発生してスループットが抑圧されてしまう。
【００５２】
第２の問題として、セクタ間でハンドオーバが発生すると、ハンドオーバ元セクタのバッファ２２０に蓄積されているデータを、ハンドオーバ先セクタのバッファ２２０に転送しなければならず、その処理に要する時間だけハンドオーバ時に伝送遅延が発生してしまう。
【００５３】
さらに第３の問題として、図７に示すように、従来、ハンドオーバ制御は、上位装置であるＲＮＣを介して行われる。このように上位装置を介した制御のため、ハンドオーバの制御遅延が大きくなるという欠点がある。
【００５４】
これに対して、本実施の形態の基地局装置１００では、各セクタに対応するＯＦＤＭ変調部１６０−１〜３の利用サブキャリアが互いに異なっているので、セクタ間の干渉を防止することができる。その結果、スループットを向上することができる。
【００５５】
また、単独のスケジューラ１３０がユーザ信号を振り分けるＯＦＤＭ変調部１６０−１〜３を切り替えることで、そのユーザ信号の宛先である移動端末のハンドオーバに対応することが可能であるため、セクタ毎に対応するバッファを設ける必要がないので、ハンドオーバ時にバッファ間でユーザ信号を転送する処理を行う必要がない。その結果、上記第２の問題点に対応するハンドオーバ時の伝送遅延の発生を防止することができる。
【００５６】
さらに、スケジューラ１３０が移動端末からフィードバックされる制御信号に基づいて、独自に移動端末のハンドオーバを制御するため、上位装置の制御が必要なくなる。その結果、上記第３の問題点に対応するハンドオーバの制御遅延の発生を防止することができる。
【００５７】
このように本実施の形態によれば、基地局装置１００に、それぞれが自装置の各セクタと対応し、送信データを重畳するために互いに異なるサブキャリアを用いて送信ＯＦＤＭ信号を形成する複数のＯＦＤＭ変調部１６０と、前記送信データの宛先である移動端末が存在するセクタに応じて、前記送信データを複数のＯＦＤＭ変調部１６０に割り振る分配手段としての信号振り分け部１５０と、を設けた。
【００５８】
こうすることにより、各セクタに対応するＯＦＤＭ変調部１６０の送信データの送信に利用するサブキャリアが互いに異なっているので、セクタ間の干渉を防止することができる。その結果、スループットを向上する基地局装置を実現することができる。
【００５９】
また、基地局装置１００に、宛先である端末装置からのフィードバック信号に基づいて、前記分配手段による送信データの複数のＯＦＤＭ変調部１６０への割り振りを制御するスケジューラ１３０をさらに設けた。そのフィードバック信号は、少なくとも各ＯＦＤＭ変調部１６０にて形成された送信ＯＦＤＭ信号ごとの端末装置における受信レベル情報を含む。
【００６０】
こうすることにより、スケジューラ１３０がユーザ信号を振り分けるＯＦＤＭ変調部１６０を切り替えるので、スケジューラ１３０がスケジューリングする間にユーザ信号を蓄積するバッファをセクタ毎に対応して設ける必要がない。また、移動端末からのフィードバック情報に含まれる受信レベル情報を用いて、スケジューラ１３０が判断することにより、移動端末のハンドオーバを実行することができる。そのため、ハンドオーバ時にバッファ間でユーザ信号を転送する処理を行う必要がないので、ハンドオーバ時の伝送遅延の発生を防止することができる。
【００６１】
一方、受信側の移動端末を、それぞれが自装置の各セクタと対応し、互いに異なるサブキャリアを用いて送信ＯＦＤＭ信号を形成する複数のＯＦＤＭ変調部１６０と、送信データの宛先が存在するセクタに応じて、送信データを複数のＯＦＤＭ変調部１６０に割り振る分配手段としての信号割り振り部１５０と、を具備する基地局装置１００と通信する端末装置であって、前記互いに異なるサブキャリアを用いて形成された送信ＯＦＤＭ信号ごとの受信レベルを基地局装置１００に報知するようにした。
【００６２】
こうすることにより、基地局装置１００において、スケジューラ１３０によるＯＦＤＭ変調部１６０の切換制御が可能となる。
【００６３】
また、その移動端末を、それぞれが自装置の各セクタと対応し、互いに異なるサブキャリアを用いて送信ＯＦＤＭ信号を形成する複数のＯＦＤＭ変調部１６０と、送信データの宛先が存在するセクタに応じて、送信データを複数のＯＦＤＭ変調部１６０に割り振る分配手段としての信号振り分け部１５０と、を具備する基地局装置１００と通信する端末装置であって、前記送信ＯＦＤＭ信号ごとの受信レベルに応じて、基地局装置１００への送信に利用するサブキャリアを切り替えるようにした。
【産業上の利用可能性】
【００６４】
本発明の基地局装置および端末装置は、ＯＦＤＭ方式により通信を行う基地局装置および端末装置であって、セクタ間の干渉を低減しスループットを向上するものとして有用である。
【図面の簡単な説明】
【００６５】
【図１】本発明の一実施の形態に係る基地局装置の構成を示すブロック図
【図２】図１の各ＯＦＤＭ変調部に対する利用サブキャリアの割り当て方法の説明に供する図
【図３】図１の各ＯＦＤＭ変調部に対する利用サブキャリアの他の割り当て方法の説明に供する図
【図４】移動端末が図１の基地局装置のセクタを移動したときの様子を示す図
【図５】セクタ間ハンドオーバ時の一連の動きの説明に供する図
【図６】本実施の形態の基地局装置の構成と対比する基地局装置の構成を示すブロック図
【図７】従来のハンドオーバ制御の説明に供する図
【符号の説明】
【００６６】
１００  基地局装置
１１０  分離部
１２０  バッファ
１３０  スケジューラ
１４０  符号化変調部
１５０  信号振り分け部
１５２  多重化部
１５４  直並列変換部
１６０  ＯＦＤＭ変調部
１６２  逆フーリエ変換部
１６４  並直列変換部
１７０  無線送信部
【図１】
2008067320.tif 000003
【図２】
2008067320.tif 000004
【図３】
2008067320.tif 000005
【図４】
2008067320.tif 000006
【図５】
2008067320.tif 000007
【図６】
2008067320.tif 000008
【図７】
2008067320.tif 000009